(57)【要約】【課題】上下に積み重ねたコンテナ間の位置ずれを規制する規制リブを設けつつも、耐圧荷重の低下を抑制することのできるコンテナを提供する。【解決手段】コンテナ１０は、合成樹脂製の中空板材を有底四角箱状に組み立ててなる箱本体と、箱本体の上縁隅部に取り付けられるコーナー部材４０とを備えている。コーナー部材４０には、コンテナ１０同士を積み重ねた際に、上段に配置されるコンテナ１０の側壁外面に当接してコンテナ１０間の位置ずれを規制する第１規制リブ５０ａ及び第２規制リブ５０ｂが設けられている。第１規制リブ５０ａ及び第２規制リブ５０ｂは、上記位置ずれを規制する規制位置と、規制位置よりも下側に退避した退避位置とを移動可能に構成されている。【選択図】図７
2015107808.tif 000002
【特許請求の範囲】
【請求項１】
積み重ねて使用されるコンテナであって、
合成樹脂製の中空板材を有底四角箱状に組み立ててなる箱本体と、
前記箱本体の上縁に取り付けられる上縁部材とを備え、
前記上縁部材には、前記コンテナ同士を積み重ねた際に、上段に配置される前記コンテナの側壁外面に当接して前記コンテナ間の位置ずれを規制する規制リブが設けられ、
前記規制リブは、前記位置ずれを規制する規制位置と、当該規制位置よりも下側に退避した退避位置とを移動可能に構成されていることを特徴とするコンテナ。
【請求項２】
前記規制リブは、前記規制位置側に付勢されていることを特徴とする請求項１に記載のコンテナ。
【請求項３】
前記上縁部材は、前記箱本体の上縁隅部に取り付けられるコーナー部材であり、
前記規制リブは、前記箱本体における一方の対向する第１側壁に沿って延びる第１規制リブと、他方の対向する第２側壁に沿って延びる第２規制リブとを備え、
前記第１規制リブ及び前記第２規制リブは、それぞれ独立して、前記規制位置と前記退避位置とを移動可能に構成されていることを特徴とする請求項１又は請求項２に記載のコンテナ。
【発明の詳細な説明】
【技術分野】
【０００１】
本発明は、積み重ねて使用されるコンテナに関する。
【背景技術】
【０００２】
近年、物品の運搬等に使用されるコンテナとして、プラスチック段ボール等の合成樹脂製の中空板材から構成されたコンテナが利用されている。例えば、特許文献１のコンテナは、十字形に切り出されたプラスチック段ボールを、上部に開口を有する有底箱状に折り曲げて箱本体を形成するとともに、その箱本体の上縁に上縁部材を取り付けることによって形成されている。上縁部材としては、箱本体の上縁隅部において隣接する側壁に跨るように取り付けられるコーナー部材、及び箱本体の側壁上縁の中央部分に取り付けられるフレーム部材が用いられている。
【先行技術文献】
【特許文献】
【０００３】
【特許文献１】特開平９−１６５０４０号公報
【発明の概要】
【発明が解決しようとする課題】
【０００４】
ところで、積み重ねて使用されるコンテナにおいては、積み重ねられた上下のコンテナ間の位置ずれを規制するための構成が設けられている。例えば、射出成型により一体形成される合成樹脂製のコンテナの場合、底壁下面に対して外周に沿った凹部が設けられている。そして、コンテナを積み重ねた際に、下段に位置するコンテナの上縁の内側に、上段に位置するコンテナの底壁が嵌まり込むことによって、上下のコンテナ間の位置ずれを規制する構成となっている。
【０００５】
一方、特許文献１のコンテナの場合、中空板材により形成される箱本体部分に対して細かな凹凸部位を設けることは非常に困難であることから、射出成型により一体形成される合成樹脂製のコンテナのように、底壁に凹部を設ける構成を採用することは難しい。そこで、箱本体の上縁に取り付けられるコーナー部材及びフレーム部材の上面に規制リブを設け、コンテナ同士を積み重ねた際に、上段に配置されるコンテナの側壁外面に上記規制リブが当接することによって、コンテナ間の位置ずれを規制する構成が採用されている。
【０００６】
ここで、積み重ねて使用されるコンテナの場合、単純にコンテナ同士を積み重ねるのみでなく、運搬用のパレットをコンテナの上に積み重ねて使用されることもある。このとき、上記規制リブを設けたコンテナであると、コンテナ上に載置されるパレットに対するコンテナの接触部分は規制リブのみとなる。そのため、パレットの荷重が規制リブに集中して、規制リブが変形する、又は箱本体に折れや歪みが生じることがあった。つまり、コンテナに上記規制リブを設けることによって、コンテナ全体の耐圧荷重が低下していた。
【０００７】
本発明は、こうした従来の実情に鑑みてなされたものであり、その目的は、上下に積み重ねたコンテナ間の位置ずれを規制する規制リブを設けつつも、耐圧荷重の低下を抑制することのできるコンテナを提供することにある。
【課題を解決するための手段】
【０００８】
上記の目的を達成するために請求項１に記載のコンテナは、積み重ねて使用されるコンテナであって、合成樹脂製の中空板材を有底四角箱状に組み立ててなる箱本体と、前記箱本体の上縁に取り付けられる上縁部材とを備え、前記上縁部材には、前記コンテナ同士を積み重ねた際に、上段に配置される前記コンテナの側壁外面に当接して前記コンテナ間の位置ずれを規制する規制リブが設けられ、前記規制リブは、前記位置ずれを規制する規制位置と、当該規制位置よりも下側に退避した退避位置とを移動可能に構成されている。
【０００９】
上記構成によれば、コンテナの上にパレット等の物品を載せて、上縁部材に設けられた規制リブに荷重が作用した場合に、規制リブを退避位置に移動させることによって、上記物品をコンテナの側壁上縁に支持させることができる。これにより、規制リブに対する荷重の集中が抑制される。その結果、上縁部材に対して規制リブを設けた場合においても、耐圧荷重の低下が抑制されて、規制リブの変形や箱本体に生じる折れや歪みを抑制することができる。
【００１０】
上記コンテナにおいて、前記規制リブは、前記規制位置側に付勢されていることが好ましい。
この場合には、規制リブの上にパレット等の物品を載せることにより、規制リブは規制位置から退避位置へ移動し、その物品を取り除くことにより、規制リブは退避位置から規制位置へ移動する。そのため、規制リブを移動させるために特殊な操作を行う必要がなく、従来のコンテナと同じ使用感で使用することができる。
【００１１】
上記コンテナにおいて、前記上縁部材は、前記箱本体の上縁隅部に取り付けられるコーナー部材であり、前記規制リブは、前記箱本体における一方の対向する第１側壁に沿って延びる第１規制リブと、他方の対向する第２側壁に沿って延びる第２規制リブとを備え、前記第１規制リブ及び前記第２規制リブは、それぞれ独立して、前記規制位置と前記退避位置とを移動可能に構成されていることが好ましい。
【００１２】
この場合には、井桁積みのように、コーナー部材に設けられる第１規制リブ及び第２規制リブのうちの一方の規制リブのみに荷重が作用する積み方をした場合において、規制リブによる上下のコンテナ間の位置ずれを規制する作用と、規制リブに対する荷重の集中を抑制する作用とを両立させることができる。
【発明の効果】
【００１３】
本発明のコンテナによれば、上下に積み重ねたコンテナ間の位置ずれを規制する規制リブを設けつつも、耐圧荷重の低下を抑制することができる。
【図面の簡単な説明】
【００１４】
【図１】コンテナの斜視図。
【図２】コーナー部材の斜視図。
【図３】コーナー部材の分解斜視図。
【図４】コーナー部材の分解斜視図。
【図５】（ａ）はコーナー部材における第１規制リブ周辺の上面図、（ｂ）は図２の５−５線断面図。
【図６】コンテナの使用状態を示す図。
【図７】（ａ）は図６のＡの拡大図、（ｂ）は図６のＢの拡大図。
【発明を実施するための形態】
【００１５】
以下、本発明のコンテナを図面に基づいて説明する。
図１に示すように、コンテナ１０は、上方に開口する有底箱状の箱本体２０を備えている。箱本体２０は、合成樹脂性の中空板材を四角箱状に折り曲げることにより形成される部材であり、長方形状の底壁２１と、底壁２１の短側縁に沿って立設された対向する一対の短側壁２２（第１側壁）と、底壁２１の長側縁に沿って立設された対向する一対の長側壁２３（第２側壁）とを備えている。
【００１６】
具体的には、底壁２１となる部分の各側縁に対して短側壁２２及び長側壁２３となる部分がそれぞれ接続された略十字形状の板材を箱状に折り曲げることによって形成されている。また、上記板材における長側壁２３となる部分の両側部には、短側壁２２となる部分の内側に重ねられる重ね代が設けられており、この重ね代が重なることによって短側壁２２は二枚重ねの構造とされている。なお、箱本体２０を構成する合成樹脂性の中空板材としては、例えば、一対の表面層の間にクランク状やコーン状等の凹凸を有する中間層を積層してなるプラスチック段ボールや発泡シートを用いることができる。
【００１７】
図１に示すように、コンテナ１０は、箱本体２０の上縁における短側壁２２及び長側壁２３の中央部分に取り付けられるフレーム部材３０と、箱本体２０の上縁隅部において隣接する短側壁２２及び長側壁２３に跨るようにして取り付けられるコーナー部材４０とを備えている。
【００１８】
フレーム部材３０は、下側に開口する断面Ｕ字状をなす角柱状の部材であり、その下面側全体に溝が形成されている。そして、その溝内に短側壁２２又は長側壁２３の上縁を挿入した状態として、ビスや接着剤等の所定の固定手段を用いて短側壁２２又は長側壁２３に固定されることにより、箱本体２０の上縁にフレーム部材３０が取り付けられている。
【００１９】
図１及び図２に示すように、コーナー部材４０は、上面視Ｌ字状をなす本体部４１と、本体部４１の上部側に取り付けられる第１規制リブ５０ａ及び第２規制リブ５０ｂとを備えている。本体部４１は下側に開口する断面Ｕ字状に形成され、本体部４１の下面には、箱本体２０の短側壁２２の上縁が挿入される第１挿入溝４２ａ、及び長側壁２３の上縁が挿入される第２挿入溝４２ｂがそれぞれ設けられている。
【００２０】
コーナー部材４０は、第１挿入溝４２ａに短側壁２２の上縁を挿入するとともに、第２挿入溝４２ｂに長側壁２３の上縁を挿入した状態として、ビスや接着剤等の所定の固定手段を用いて短側壁２２及び長側壁２３に固定されることにより、箱本体２０の上縁に取り付けられている。
【００２１】
また、本体部４１の両端部には、その外形が中央部分よりも一回り小さく形成された挿入部４３が設けられている。フレーム部材３０及びコーナー部材４０を箱本体２０に取り付けた状態において、本体部４１の挿入部４３にフレーム部材３０の端部が重ねられることにより、フレーム部材３０とコーナー部材４０とが連結されている。そして、フレーム部材３０の上端面と、コーナー部材４０の本体部４１における挿入部４３の除いた部位の上端面とは同じ高さになっている。
【００２２】
次に、図３〜図５に基づいて、コーナー部材４０における第１規制リブ５０ａ及び第２規制リブ５０ｂの構成、並びに本体部４１に対する第１規制リブ５０ａ及び第２規制リブ５０ｂの取り付け構成について具体的に説明する。
【００２３】
図３及び図４に示すように、第１規制リブ５０ａ及び第２規制リブ５０ｂはそれぞれ、本体部４１とは別体として設けられる平板状の部材である。第１規制リブ５０ａ及び第２規制リブ５０ｂは共に同一の形状をなしている。そのため、以下では第１規制リブ５０ａについて具体的に説明し、第２規制リブ５０ｂについての説明を省略する。
【００２４】
第１規制リブ５０ａの中央下部には、下方へ延びる突片５１が設けられている。突片５１の外面側には、横方向に延びる規制突部５２が設けられている。第１規制リブ５０ａの両側面における突片５１の両側には、上下方向に延びる断面半円形状のガイド突部５３が設けられている。そして、第１規制リブ５０ａの両側面におけるガイド突部５３の更に両側には、上下方向に延びる位置決め突部５４が設けられている。
【００２５】
図３及び図５に示すように、本体部４１には、第１規制リブ５０ａを取り付けるための第１収容部４４ａが設けられている。第１収容部４４ａは、上面に開口を有する穴形状の部位であり、本体部４１における第１挿入溝４２ａよりも外側の位置において、第１挿入溝４２ａに沿って延びる上面視略長四角形状に形成されている。つまり、第１挿入溝４２ａは、箱本体２０にコーナー部材４０を取り付けた際に、短側壁２２の外側に位置するとともに、短側壁２２に沿った方向に形成されている。第１収容部４４ａの上下方向長さは、第１規制リブ５０ａの上下方向長さよりも長くなるように設定されている。また、第１収容部４４ａの幅は、第１規制リブ５０ａにおけるガイド突部５３の先端部間の幅と略同一となるように設定されている。
【００２６】
図５（ａ）に示すように、第１収容部４４ａには、部分的に幅広に形成された幅広部４５が設けられている。幅広部４５は、第１規制リブ５０ａの位置決め突部５４を収容するための部位であり、位置決め突部５４とほぼ同一の外形状、かつ位置決め突部５４よりも僅かに大きい形状に形成されている。また、図５（ｂ）に示すように、第１収容部４４ａの外側の側面の中央上部には、内側へ突出した段差部４６が設けられている。段差部４６の内側面は、上側から下側に向かって内方へ突出する傾斜面状に形成されている。
【００２７】
そして、第１規制リブ５０ａは、第１収容部４４ａ内に上方から差し込まれることによって第１収容部４４ａに取り付けられている。具体的には、第１規制リブ５０ａの位置決め突部５４の位置を第１収容部４４ａの幅広部４５に合わせるとともに、突片５１の規制突部５２を第１収容部４４ａの段差部４６の内側面に沿わせつつ、第１規制リブ５０ａを第１収容部４４ａ内に押し込むことによって、第１規制リブ５０ａは、第１収容部４４ａに取り付けられる。
【００２８】
この取り付け状態においては、図５（ａ）に示すように、第１規制リブ５０ａの両側面は、断面半円形状のガイド突部５３の先端部分において部分的に第１収容部４４ａの側面に当接している。また、第１規制リブ５０ａの位置決め突部５４は、第１収容部４４ａの幅広部４５内に収容されている。そして、第１規制リブ５０ａに対して横方向（図５（ａ）における上下方向）の力が作用した場合には、位置決め突部５４の周面と幅広部４５の内面とが当接することによって、第１収容部４４ａ内における第１規制リブ５０ａの位置ずれが規制される。
【００２９】
図４及び図５（ｂ）に示すように、第１収容部４４ａの底面と第１規制リブ５０ａとの間には、第１収容部４４ａ内に収容された第１規制リブ５０ａを上方向に付勢するスプリング４７が配置されている。スプリング４７によって上方向に付勢された第１規制リブ５０ａは、その突片５１の規制突部５２が段差部４６の下端面に当接して係止されることによって、第１収容部４４ａから抜け出ることが規制されている。そして、第１規制リブ５０ａは、突片５１の規制突部５２が段差部４６に当接した規制位置に保持されている。図５（ｂ）に示すように、この規制位置においては、第１規制リブ５０ａの上端部分が第１収容部４４ａから突出した状態となっている。
【００３０】
また、図３及び図５に示すように、本体部４１には、第２規制リブ５０ｂを取り付けるための第２収容部４４ｂが設けられている。第２収容部４４ｂは、上面に開口を有する穴形状の部位であり、本体部４１における第２挿入溝４２ｂよりも外側の位置において、第２挿入溝４２ｂに沿って延びる上面視略長四角形状に形成されている。つまり、第２挿入溝４２ｂは、箱本体２０にコーナー部材４０を取り付けた際に、長側壁２３の外側に位置するとともに、長側壁２３に沿った方向に形成されている。第２収容部４４ｂの構成、及び第２収容部４４ｂに対する第２規制リブ５０ｂの取り付け構成は、第１収容部４４ａ及び第１規制リブ５０ａと同様であることから、具体的な説明は省略する。
【００３１】
次に、本実施形態の作用について説明する。
本実施形態のコンテナ１０は、その向きを揃えた棒積みに積み重ねて使用される場合には、特許文献１に開示されるような従来のコンテナと同様の位置ずれ抑制効果を得ることができる。つまり、下段に配置されるコンテナ１０のコーナー部材４０において、規制位置に保持された第１規制リブ５０ａ及び第２規制リブ５０ｂが、上段に配置されるコンテナ１０の側壁の外面に当接することにより、上下のコンテナ間の位置ずれを規制することができる。
【００３２】
また、図６に示すように、コンテナ１０は、第１のパレットＰ１の上に、コンテナ１０の向きを異ならせた井桁積みに積み重ねるとともに、その上に更に第２のパレットＰ２を積み重ねて使用される場合がある。このとき、図７（ａ）に示すように、上段に配置されるコンテナ１０においては、パレットＰ２の荷重がコーナー部材４０の第１規制リブ５０ａ及び第２規制リブ５０ｂに作用する。
【００３３】
このパレットＰ２の荷重によって、第１規制リブ５０ａ及び第２規制リブ５０ｂは、スプリング４７の付勢力に抗して下方へ押し込まれて、全体がコーナー部材４０の第１収容部４４ａ及び第２収容部４４ｂ内に収容された退避位置にスライド移動する。これにより、パレットＰ２は、上段に配置されるコンテナ１０の側壁上縁、即ちコーナー部材４０の上端面、及びフレーム部材３０の上端面に支持される。その結果、コーナー部材４０に設けられた第１規制リブ５０ａ及び第２規制リブ５０ｂに対して、パレットＰ２の荷重が集中することが抑制される。
【００３４】
さらに、図６に示すように、コンテナ１０を井桁積みに積み重ねた場合には、上段に配置されるコンテナ１０の荷重が、下段に配置されるコンテナ１０のコーナー部材４０の第１規制リブ５０ａ及び第２規制リブ５０ｂのうちの一方のみに作用する部分（符号Ｂで示す部分）ができる。こうした部分においては、図７（ｂ）に示すように、上段に配置されるコンテナ１０の荷重が作用する規制リブ（ここでは、第１規制リブ５０ａ）のみが、スプリング４７の付勢力に抗して下方へ押し込まれて退避位置にスライド移動する。
【００３５】
これにより、上段に配置されるコンテナ１０は、下段に配置されるコンテナ１０におけるコーナー部材４０の上端面、及びフレーム部材３０の上端面に支持される。その結果、コーナー部材４０に設けられた第１規制リブ５０ａに対して、上段に配置されるコンテナ１０の荷重が集中することが抑制される。
【００３６】
一方、第２規制リブ５０ｂについては、規制位置に位置している。そのため、第２規制リブ５０ｂが、上段に配置されるコンテナ１０の側壁の外面に当接することにより、上下のコンテナ間の位置ずれを規制することができる。したがって、井桁積みに積み重ねた場合には、規制リブによる上下のコンテナ間の位置ずれを規制する作用と、規制リブに対する荷重の集中を抑制する作用とを両立させることができる。
【００３７】
なお、上段に配置されるコンテナ１０からパレットＰ２が取り除かれる、或いは下段に配置されるコンテナ１０から上段に配置されるコンテナ１０が取り除かれた後は、退避位置にある第１規制リブ５０ａ及び第２規制リブ５０ｂは、スプリング４７の付勢力によって上方へスライド移動して規制位置に復帰する。
【００３８】
次に、本実施形態の効果について記載する。
（１）コンテナ１０は、合成樹脂製の中空板材を有底四角箱状に組み立ててなる箱本体２０と、箱本体２０の上縁隅部に取り付けられるコーナー部材４０とを備えている。コーナー部材４０には、コンテナ１０同士を積み重ねた際に、上段に配置されるコンテナ１０の側壁外面に当接してコンテナ１０間の位置ずれを規制する規制リブ（第１規制リブ５０ａ及び第２規制リブ５０ｂ）が設けられている。規制リブは、上記位置ずれを規制する規制位置と、規制位置よりも下側に退避した退避位置とを移動可能に構成されている。
【００３９】
上記構成によれば、コーナー部材４０に設けられた規制リブに荷重が作用した場合に、規制リブが退避位置に移動することによって、規制リブに対する荷重の集中が抑制される。その結果、コーナー部材４０に対して規制リブを設けた場合においても、耐圧荷重の低下が抑制されて、規制リブの変形や箱本体２０に生じる折れや歪みを抑制することができる。
【００４０】
なお、本実施形態においては、「箱本体２０の側壁（短側壁２２，長側壁２３）」は、中空板材で形成された部位を意味し、「コンテナ１０の側壁」は、中空板材で形成された部位とフレーム部材３０及びコーナー部材４０とを意味する。
【００４１】
（２）規制リブ（第１規制リブ５０ａ及び第２規制リブ５０ｂ）は、規制位置側に付勢されている。
上記構成によれば、規制リブの上にパレット等の物品を載せることにより、規制リブは規制位置から退避位置へ移動し、その物品を取り除くことにより、規制リブは退避位置から規制位置へ移動する。そのため、規制リブを移動させるために特殊な操作を行う必要がなく、従来のコンテナと同じ使用感で使用することができる。
【００４２】
（３）規制リブは、箱本体２０の短側壁２２に沿って延びる第１規制リブ５０ａと、長側壁２３に沿って延びる第２規制リブ５０ｂとを備えている。第１規制リブ５０ａ及び第２規制リブ５０ｂは、それぞれ独立して、規制位置と退避位置とを移動可能に構成されている。
【００４３】
上記構成によれば、井桁積みのように、コーナー部材４０に設けられる第１規制リブ５０ａ及び第２規制リブ５０ｂのうちの一方の規制リブのみに荷重が作用する積み方をした場合において、規制リブによる上下のコンテナ間の位置ずれを規制する作用と、規制リブに対する荷重の集中を抑制する作用とを両立させることができる。
【００４４】
（４）規制リブ（第１規制リブ５０ａ及び第２規制リブ５０ｂ）の両側面は、上下方向に形成された断面半円形状のガイド突部５３の先端において収容部（第１収容部４４ａ及び第２収容部４４ｂ）の側面に当接するように構成されている。
【００４５】
上記構成によれば、収容部の側面に対する規制リブの接触部分が限定されることにより、規制位置と退避位置との間を移動する際の規制リブの摺動抵抗が小さくなる。その結果、規制リブをよりスムーズに移動させることが可能になる。
【００４６】
なお、本実施形態は、次のように変更して具体化することも可能である。また、次の変更例を互いに組み合わせ、その組み合わせの構成のように上記実施形態を変更することも可能である。
【００４７】
・  上記実施形態では、コーナー部材４０に対して規制リブ（第１規制リブ５０ａ及び第２規制リブ５０ｂ）を設けていたが、フレーム部材３０に対して同様の規制リブを設ける構成としてもよい。また、規制リブは、箱本体２０の上縁に取り付けられる上縁部材、即ちコーナー部材４０及びフレーム部材３０のうちの少なくとも一方に設けられていればよい。
【００４８】
・  規制リブ（第１規制リブ５０ａ及び第２規制リブ５０ｂ）の退避位置は、規制位置よりも下側の位置であって、コンテナ１０の上に乗せられたパレット等の物品がコンテナ１０の側壁上縁に支持される位置であればよい。例えば、規制リブを内側へ９０度程度、回動可能に構成し、規制リブが内側に回動して倒れた状態となった位置を退避位置とすることもできる。
【００４９】
・  上記実施形態では、コーナー部材４０に設けられる規制リブを第１規制リブ５０ａと第２規制リブ５０ｂとに分割していたが、これらを、Ｌ字板状をなす一つの部材として一体に形成してもよい。この場合にも、上記（１）の効果を得ることができる。
【００５０】
・  上記実施形態では、規制リブ（第１規制リブ５０ａ及び第２規制リブ５０ｂ）を規制位置側へ付勢するための付勢構成としてスプリング４７を採用していたが、上記付勢構成はこれに限定されるものではない。例えば、スプリング等の付勢部材を合成樹脂製の部材とすること、更にはその合成樹脂製の付勢部材を規制リブ（第１規制リブ５０ａ及び第２規制リブ５０ｂ）の下端面や、収容部（第１収容部４４ａ及び第２収容部４４ｂ）の底面に一体に形成することもできる。なお、合成樹脂製の付勢部材を採用する場合には、廃棄時における分別処理の必要がなくなることから、コンテナ１０を構成する各部材を全て同じ種類の合成樹脂製とすることが好ましい。
【００５１】
・  規制リブ（第１規制リブ５０ａ及び第２規制リブ５０ｂ）を規制位置側へ付勢する付勢構成（スプリング４７）に代えて、規制リブを規制位置及び退避位置のそれぞれに固定する固定手段と、規制位置と退避位置との間で規制リブを切り替えるための切替手段とを設ける構成としてもよい。
【００５２】
上記固定手段としては、例えば、規制リブの側面に突起を設けるとともに、収容部（第１収容部４４ａ及び第２収容部４４ｂ）の側面の特定位置に凹部を設ける。そして、規制リブが規制位置及び退避位置に位置したときに、上記突起と上記凹部とが係合して規制リブが位置決めされる構成を採用することができる。また、上記切替手段としては、例えば、規制リブの側面につまみ等の操作部を設け、作業者が上記操作部を操作することにより、規制リブを規制位置と退避位置との間で切り替え可能とする構成を採用することができる。
【００５３】
・  上記実施形態では、規制リブ（第１規制リブ５０ａ及び第２規制リブ５０ｂ）が退避位置にあるとき、コンテナの側壁上縁の全体、即ちフレーム部材３０の上端面及びコーナー部材４０の本体部４１の上端面に支持されるように構成されていたが、コンテナの側壁上縁の一部のみに支持されるように構成してもよい。例えば、フレーム部材３０の上端面をコーナー部材４０の本体部４１の上端面よりも高く形成した場合には、フレーム部材３０の上端面のみに支持される構成となり、コーナー部材４０の本体部４１の上端面をフレーム部材３０の上端面よりも高く形成した場合には、本体部４１の上端面のみに支持される構成となる。
【００５４】
・  箱本体２０は中空板材を有底四角箱状に組み立てて構成されるものであればよく、その具体的構成は特に限定されるものではない。例えば、底壁２１、短側壁２２、及び長側壁２３の形状にそれぞれ別々に切り出した５枚の板材を組み合わせて有底四角箱状とした箱本体２０であってもよい。
【００５５】
次に、上記実施形態及び変更例から把握できる技術的思想について記載する。
（イ）前記規制リブは、前記規制位置と前記退避位置との間を上下にスライド移動可能に構成されている前記コンテナ。
【００５６】
（ロ）前記コーナー部材は、上面側に開口する収容凹部を有する本体部を備え、前記規制リブは、前記収容凹部に取り付けられるとともに、前記収容凹部の開口から上方へ突出する前記規制位置と、前記収容凹部内に収容される前記退避位置とを移動可能に構成されている前記コンテナ。
【００５７】
（ハ）前記規制リブを前記規制位置及び前記退避位置のそれぞれに固定する固定手段と、前記規制位置と前記退避位置との間で前記規制リブを切り替えるための切替手段とを備える前記コンテナ。
【符号の説明】
【００５８】
Ｐ…パレット、１０…コンテナ、２０…箱本体、４０…コーナー部材、４１…本体部、４４ａ…第１収容部、４４ｂ…第２収容部、４７…スプリング、５０ａ…第１規制リブ、５０ｂ…第２規制リブ。
【図１】
2015107808.tif 000003
【図２】
2015107808.tif 000004
【図３】
2015107808.tif 000005
【図４】
2015107808.tif 000006
【図５】
2015107808.tif 000007
【図６】
2015107808.tif 000008
【図７】
2015107808.tif 000009